(57)【要約】【課題】監視対象の異常時に監視対象の状態に関する画像情報を監視元まで伝送すること。【解決手段】異常検出器１２により監視対象の異常が検出されたときには補助リレー１４が接点メーク状態となり、監視対象が異常になったことが表示器１６に表示されるとともに、接点メーク状態を示す信号が起動回路２２に伝送され、起動回路２２から出力される表示指令によって表示器２８が起動され、表示器１６の表示内容が小型カメラ２４で撮像され画像情報が生成される。この画像情報は伝送路２６を介して表示器２８に伝送され、表示器２８の監視用の画面上には画像情報にしたがった画像が表示される。【選択図】        図１
2004164504.tif 000002
【特許請求の範囲】
【請求項１】
監視対象の状態の変化を検出する状態変化検出手段と、前記状態変化検出手段の検出出力に応答して前記監視対象の状態の変化を表示する状態変化表示手段と、前記状態変化表示手段の表示内容を撮像して画像情報を生成する撮像手段と、前記撮像手段の撮像による画像情報を伝送する伝送手段と、前記伝送手段の伝送による画像情報に従って監視用の画面上に画像を表示する画像表示手段とを備えてなる監視システム。
【請求項２】
監視対象の異常を検出する異常検出手段と、前記異常検出手段の異常検出出力に応答して前記監視対象の異常を表示する異常表示手段と、前記異常表示手段の表示内容を撮像して画像情報を生成する撮像手段と、前記撮像手段の撮像による画像情報を伝送する伝送手段と、前記伝送手段の伝送による画像情報に従って監視用の画面上に画像を表示する画像表示手段とを備えてなる監視システム。
【請求項３】
監視対象の異常を検出する異常検出手段と、前記異常検出手段の異常検出出力に応答して前記監視対象の異常を表示する異常表示手段と、前記異常表示手段の表示内容を撮像して画像情報を生成する撮像手段と、前記撮像手段の撮像による画像情報を伝送する伝送手段と、前記異常検出手段から異常検出出力が発生したことを条件として起動指令を出力する起動指令手段と、前記起動指令により起動して前記伝送手段の伝送による画像情報に従って監視用の画面上に画像を表示する画像表示手段とを備えてなる監視システム。
【請求項４】
監視対象の異常を検出する異常検出手段と、前記異常検出手段から異常検出出力が発生したことを条件として起動指令を出力する起動指令手段と、前記異常検出手段の異常検出出力に応答して前記監視対象の異常を表示する異常表示手段と、前記起動指令により起動して前記異常表示手段の表示内容を撮像して画像情報を生成する撮像手段と、前記撮像手段の撮像による画像情報を伝送する伝送手段と、前記伝送手段の伝送による画像情報に従って監視用の画面上に画像を表示する画像表示手段とを備えてなる監視システム。
【請求項５】
監視対象の異常を検出する異常検出手段と、前記異常検出手段の異常検出出力に応答して前記監視対象の異常を表示する異常表示手段と、前記監視対象の状態と前記監視対象に関連する機器の状態を表示する状態表示手段と、前記異常表示手段と前記状態表示手段の表示内容を撮像して画像情報を生成する撮像手段と、前記撮像手段の撮像による画像情報を伝送する伝送手段と、前記異常検出手段から異常検出出力が発生したことを条件として起動指令を出力する起動指令手段と、前記起動指令により起動して前記伝送手段の伝送による画像情報に従って監視用の画面上に画像を表示する画像表示手段とを備えてなる監視システム。
【請求項６】
監視対象の異常を検出する異常検出手段と、前記異常検出手段から異常検出出力が発生したことを条件として起動指令を出力する起動指令手段と、前記異常検出手段の異常検出出力に応答して前記監視対象の異常を表示する異常表示手段と、前記監視対象の状態と前記監視対象に関連する機器の状態を表示する状態表示手段と、前記起動指令により起動して前記異常表示手段と前記状態表示手段の表示内容を撮像して画像情報を生成する撮像手段と、前記撮像手段の撮像による画像情報を伝送する伝送手段と、前記伝送手段の伝送による画像情報に従って監視用の画面上に画像を表示する画像表示手段とを備えてなる監視システム。
【請求項７】
請求項２、３、４、５または６のうちいずれか１項に記載の監視システムにおいて、前記異常表示手段は、ターゲットを用いて構成されてなることを特徴とする監視システム。
【請求項８】
請求項２、３、４、５または６のうちいずれか１項に記載の監視システムにおいて、前記異常表示手段は、発光ダイオードを用いて構成されてなることを特徴とする監視システム。
【請求項９】
請求項５または６に記載の監視システムにおいて、前記状態表示手段は、発光ダイオードを用いて構成されてなることを特徴とする監視システム。
【請求項１０】
請求項１〜９のうちいずれか１項に記載の監視システムにおいて、前記監視対象を制御・保護するための演算を行なう演算カードを備え、前記演算カードは、前記撮像手段の撮像エリア内に配置され、前記演算カードのうち前記撮像手段に対向する面には、前記演算カードの異常の有無を表示する表示素子が配置されてなることを特徴とする監視システム。
【発明の詳細な説明】
【０００１】
【発明の属する技術分野】
本発明は、監視システムに係り、特に、変電所または発電所に設置された監視対象の異常の有無を遠隔地で監視するに好適な監視システムに関する。
【０００２】
【従来の技術】
従来、変電所または発電所に設置された各種機器の異常の有無を制御室で監視するに際して、監視対象の機器に異常が発生した場合、異常が発生した旨をケーブルまたはデータ通信により制御室に伝送する構成が採用されている。また監視対象の状態の変化によって警報を発生する必要が生じた場合にもその旨をケーブルまたはデータ通信により制御室に伝送する構成が採用されている。
【０００３】
なお、水力発電所の異常を監視するものとしては、特許文献１に記載されているものが挙げられる。
【０００４】
【特許文献１】
特開平１０−３１３５３７号公報（第３頁〜第４頁、図１参照）
【発明が解決しようとする課題】
従来技術においては、変電所または発電所で異常が発生した場合、制御室において異常の内容を確認することはできるが、詳細な要因を推定するためには、監視対象が設置されている場所で作業員が目視で確認する必要がある。しかも、変電所または発電所が無人化されると、異常が発生したときに、作業員が監視対象を目視してその要因を推定するまでの初動が送れ、完全復旧までの時間が長くなる。
【０００５】
本発明の課題は、監視対象の異常時に監視対象の状態に関する画像情報を監視元まで伝送することにある。
【０００６】
【課題を解決するための手段】
前記課題を解決するために、本発明は、監視対象の状態の変化を検出する状態変化検出手段と、前記状態変化検出手段の検出出力に応答して前記監視対象の状態の変化を表示する状態変化表示手段と、前記状態変化表示手段の表示内容を撮像して画像情報を生成する撮像手段と、前記撮像手段の撮像による画像情報を伝送する伝送手段と、前記伝送手段の伝送による画像情報に従って監視用の画面上に画像を表示する画像表示手段とを備えてなる監視システムを構成したものである。
【０００７】
前記監視システムを構成するに際しては、状態変化検出手段の代わりに監視対象の異常を検出する異常検出手段を用い、状態変化表示手段の代わりに、異常検出手段の異常検出出力に応答して監視対象の異常を表示する異常表示手段を用いることができる。
【０００８】
また、前記監視システムを構成するに際しては、異常検出手段から異常検出出力が発生したことを条件として、起動指令を出力する起動指令手段を設け、この起動指令により画像表示手段を起動させたり、あるいは、起動指令により、撮像手段を起動させたりすることもできる。
【０００９】
また、上記監視システムを構成するに際しては、監視対象の状態と監視対象に関連する機器の状態を表示する状態表示手段を設けるとともに、撮像手段として、異常表示手段と状態表示手段の表示内容をそれぞれ撮像して画像情報を生成する機能を有するもので構成することもできる。
【００１０】
前記各監視システムを構成するに際しては、以下の要素を付加することができる。
【００１１】
（１）前記異常表示手段は、ターゲットを用いて構成されてなる。
【００１２】
（２）前記異常表示手段は、発光ダイオードを用いて構成されてなる。
【００１３】
（３）前記状態表示手段は、発光ダイオードを用いて構成されてなる。
【００１４】
（４）前記監視対象を制御・保護するための演算を行なう演算カードを備え、前記演算カードは、前記撮像手段の撮像エリア内に配置され、前記演算カードのうち前記撮像手段に対向する面には、前記演算カードの異常の有無を表示する表示素子が配置されてなる。
【００１５】
前記した手段によれば、監視対象の状態の変化または監視対象の異常が検出されたときには、監視対象の状態の変化または監視対象の異常の内容が表示され、この表示内容が撮像されて画像情報として伝送され、監視元の監視用画面上に表示されるため、監視元において監視対象の状態の変化や異常の内容を確認することができ、初動を早めることができるとともに、完全復旧までの時間を短縮することが可能になる。
【００１６】
また、起動指令により、撮像手段または画像表示手段を起動することで、消費電力を低減することができるとともに長寿命化を図ることができる。
【００１７】
【発明の実施の形態】
以下、本発明の一実施形態を図面に基づいて説明する。図１は変電所または発電所に設置される機器を監視対象としたときの監視システムの一実施形態を示すブロック構成図である。図１において、変電所または発電所の現場１０には監視対象の機器として変圧器、遮断器（図示省略）などが設置されており、各監視対象には異常検出器１２が設置されている。異常検出器１２は、監視対象の状態の変化を検出したときに状態変化検出信号または監視対象の異常を検出したときに異常検出信号（異常検出出力）を補助リレー１４を介して表示器１６に出力するように構成されている。補助リレー１４は、状態変化検出信号または異常検出信号に応答して接点がメーク状態となり、状態変化検出信号または異常検出信号を表示器１６に出力するようになっている。また補助リレー１４は、伝送路１８を介して制御室２０の起動回路２２に接続されており、接点メーク状態を示す信号を伝送路１８を介して起動回路２２に伝送するようになっている。すなわち、異常検出器１２と補助リレー１４は状態変化検出手段または異常検出手段として構成されている。
【００１８】
表示器１６は、監視対象の状態が変化したとき又は監視対象が異常になったときに、その内容をターゲットまたは発光ダイオードを用いて表示する状態変化表示手段または異常表示手段として構成されている。この表示器１６に相対向して小型カメラ２４が設置されており、この小型カメラ２４は、伝送路２６を介して制御室２０の表示器２８に接続されている。小型カメラ２４は、例えば、ＣＣＤカメラを用いて構成されており、表示器１６の表示内容を撮像して画像情報を生成し、この画像情報を伝送路２６を介して表示器２８に出力する撮像手段として構成されている。すなわち小型カメラ２４の撮像による画像情報は、常時、伝送路２６を介して表示器２８に伝送されるようになっており、伝送路２６は画像情報を表示器２８に伝送する伝送手段として構成されている。
【００１９】
一方、起動回路２２は、補助リレー１４から接点メーク状態を示す信号が入力されたことを条件として、起動指令としての表示指令を表示器２８に出力する起動指令手段として構成されている。表示器２８は、起動回路２２からの表示指令により起動し、監視用の画面上に画像情報にしたがった画像を表示する画像表示手段として構成されている。すなわち、監視元に配置された表示器２８は、常時待機状態にあり、起動回路２２からの表示指令に応答して画像情報にしたがった画像を監視用の画面上に画像表示するように構成されている。
【００２０】
上記構成において、監視対象の異常の有無によらず、表示器１６の表示内容は小型カメラ２４によって撮像され、この撮像による画像情報は伝送路２６を介して表示器２８に伝送される。このとき起動回路２２から表示指令が出力されていないときには、表示器２８の画面上には異常に関する画像は表示されない。
【００２１】
一方、監視対象の状態の変化または監視対象の異常が検出されると、補助リレー１４の接点がメーク状態となり、監視対象の状態の変化または監視対象の異常の内容が表示器１６に表示される。表示器１６の表示内容は小型カメラ２４により撮像され、この撮像に伴う画像情報は伝送路２６を介して表示器２８に伝送される。さらに、補助リレー１４が接点メーク状態となったことを条件として、起動回路２２から表示器２８に対して表示指令が出力され、表示器２８が起動される。この結果、表示器２８の監視用の画面上には監視対象の状態の変化を示す画像または監視対象の異常を示す画像が表示される。
【００２２】
このように、本実施形態においては、監視対象の状態の変化が検出されたときまたは監視対象の異常が検出されたときには、補助リレー１４が接点メーク状態になったことを条件として、表示器１６の表示内容が小型カメラ２４で撮像され、この撮像に伴う画像情報が表示器２８に伝送され、表示器２８の監視用の画面上には画像情報に従った画像が表示されるため、制御室２０において、監視対象の状態の変化または監視対象の異常の内容を詳細に把握することができ、初動を早めることができるとともに、完全復旧までの時間を短縮することが可能になる。
【００２３】
本実施形態においては、伝送路１８としては１本のメタル線路で構成することができるが、異常のシステムに与える影響度が低い内容に関しては、通信による伝送とすることもできる。この通信による伝送を採用するときには、補助リレー１４の接点情報を通信インターフェイスを介して起動回路２２に通信する構成を採用することができる。また、異常接点が複数ある場合は、伝送路１８を複数のケーブルで構成し、異常接点を集約し、集約した接点情報のみを伝送路１８を介して起動回路２２に伝送することができる。そして複数の接点を集約するに際しては、各異常接点の情報をＯＲ回路により実現することができる。
【００２４】
また小型カメラ２４、伝送路１８、２６は、異常時にも動作しなければならないため、現場１０に設置されている各種機器の電源とは別の電源を用いて構成する必要がある。
【００２５】
また本実施形態においては、表示器２８は、常時待機状態にあって、起動回路２２からの起動指令（表示指令）を条件として起動するようになっているため、消費電力を低減することができるとともに、表示画面の長寿命化を図ることができる。
【００２６】
次に、本発明に係る監視システムの第２実施形態を図２にしたがって説明する。  本実施形態は、現場１０に起動回路２２を配置し、補助リレー１４が接点メーク状態になったことを条件として、起動回路２２から小型カメラ２４に起動指令を出力し、この起動指令を条件として小型カメラ２４を起動させるとともに、表示器２８を常時待機状態として、小型カメラ２４から伝送路２６を介して画像情報が伝送されてきたこと条件として、表示器２８の監視用画面上に画像情報にしたがった画像を表示させるようにしたものであり、他の構成は図１のものと同様である。なお、異常接点が複数ある場合は、異常接点を集約し、この集約した接点情報を起動回路２２内に取り込む方法と、起動回路２２内にて接点情報を集約する方法を採用することができる。
【００２７】
本実施形態によれば、制御室２０で監視対象の状態の変化または監視対象の異常の内容を把握することができるため、初動を早めることができるとともに、完全復旧までの時間を短縮することが可能になる。
【００２８】
また、起動回路２２から出力される起動指令を条件として小型カメラ２４による撮像が開始されるとともに、画像情報の転送を条件に表示器２８の画面上に画像が表示されるため、小型カメラ２４と表示器２８を常時起動させるときよりも、消費電力を低減することができるとともに長寿命化を図ることができる。
【００２９】
次に、本発明に係る監視システムの第３実施形態を図３にしたがって説明する。本実施形態は、現場１０に、監視対象の状態と監視対象に関連する機器の状態を表示する状態表示手段としての状態表示器３０を設置し、状態表示器３０の表示内容を小型カメラ２４で撮像し、表示器１６と状態表示器３０の表示内容をそれぞれ画像情報に変換して伝送路２６を介して表示器２８に伝送するようにしたものであり、他の構成は図１のものと同様である。
【００３０】
状態表示器３０には、監視対象の機器と監視対象に関連する機器などの状態を検出する状態検出器（図示省略）が接続されており、状態表示器３０の画面上には、例えば、遮断器のオン・オフの二値情報が表示されるようになっている。すなわち状態表示器３０には、補助リレー１４とは別のリレー接点の接点情報などが表示されるようになっている。
【００３１】
本実施形態によれば、制御室２０で監視対象の状態の変化または監視対象の異常の内容を把握することができるため、初動を早めることができるとともに、完全復旧までの時間を短縮することが可能になる。
【００３２】
また、本実施形態によれば、表示器２８の画面上には表示器１６と状態表示器３０の表示内容が画像表示されるため、前記各実施形態よりも詳細な異常要因の推定が可能になる。
【００３３】
次に、本発明に係る監視システムの第４実施形態を図４にしたがって説明する。  本実施形態は、小型カメラ２４の撮像エリア内に、図３に示す状態表示器３０と同様なものを設置したものであり、他の構成は図２のものと同様である。
【００３４】
本実施形態によれば、制御室２０で監視対象の状態の変化または監視対象の異常の内容を把握することができるため、初動を早めることができるとともに、完全復旧までの時間を短縮することが可能になる。
【００３５】
また、本実施形態においても、前記実施形態と同様に、第１、第２実施形態よりも詳細な異常要因の推定が可能になる。
【００３６】
次に、本発明に係る監視システムの第５実施形態を図５にしたがって説明する。  本実施形態は、小型カメラ２４の撮像エリア内に、表示器１６、状態表示器３０を設置するとともに、演算カード３２を設置したものであり、他の構成は図４のものと同様である。
【００３７】
演算カード３２は、監視対象を制御・保護するための演算を行う演算器としての機能を備えて構成されており、演算カード３２のうち、小型カメラ２４に対向する面（前面）には、図６に示すように、演算カード３２の各部の異常の有無を表示する表示素子としての発光ダイオード（ＬＥＤ）Ｄ１〜Ｄｎが配置されている。この演算カード３２は、電力系統の状態に関する情報を入力し、監視対象を制御・保護するための演算を行い、演算結果にしたがった制御信号を遮断器の操作器などに出力することで、系統などを保護・制御するための運用を行っている。
【００３８】
このような運用を行っている過程で、演算カード３２自身に異常が発生した場合には、異常が発生した部位に対応した発光ダイオードが点灯するように構成されている。このため、小型カメラ２４で演算カード３２の発光ダイオードＤ１〜Ｄｎの状態を撮像することで、演算カード３２の状態が画像情報として表示器２８に伝送されるため、制御室２０において演算カード３２の状態を把握することができる。
【００３９】
本実施形態によれば、制御室２０で監視対象の状態の変化または監視対象の異常の内容を把握することができるとともに、演算カード３２の状態を把握することができるため、初動を早めることができるとともに、完全復旧までの時間を短縮することが可能になる。
【００４０】
次に、表示器１６の具体的構成を図７にしたがって説明する。表示器１６は、複数の監視対象の状態の変化または複数の監視対象の異常を表示するように構成されており、各監視対象に対応して、ターゲットＴ１１〜Ｔ１ｎ、Ｔ２１〜Ｔ２ｎが設けられている。各ターゲットにはリセット用のボタンＢ１１〜Ｂ１ｎ、Ｂ２１〜Ｂ２ｎが設けられている。各ターゲットＴ１１〜Ｔ２ｎは、補助リレー１４の接点の状態に応じて機械的に状態が変化するように構成されており、補助リレー１４が接点メーク状態となって状態が変化したあとは、ボタンＢ１１〜Ｂ２ｎを押し下げなければ元の状態に戻らない可逆性の表示器として構成されている。
【００４１】
本実施形態における表示器１６を用いれば、複数の監視対象が同時に異常になったときでも各監視対象の異常の内容を詳細に表示することができる。
【００４２】
次に、表示器１６の他の実施形態を図８にしたがって説明する。本実施形態における表示器１６は、ターゲットの代わりに発光ダイオードＡ〜Ｚを用いたものであり、各発光ダイオードの点灯の有無により各監視対象の異常の有無を表示することができるとともに、照明がない場合でも各監視対象の状態の変化を表示することができる。
【００４３】
なお、図７および図８に示す表示器１６を状態表示器３０として用いることも可能である。
【００４４】
また、前記各実施形態においては、監視対象の異常時について述べたが、異常の程度が低く、警報を発する状況のときでも本発明を採用することができる。この場合、表示器１６には警報に関する情報が表示されることになる。
【００４５】
【発明の効果】
以上説明したように、本発明によれば、監視元において監視対象の状態の変化または異常の内容を確認することができ、初動を早めることができるとともに、完全復旧までの時間を短縮することが可能になる。
【図面の簡単な説明】
【図１】本発明に係る監視システムの第１実施形態を示すブロック構成図である。
【図２】本発明に係る監視システムの第２実施形態を示すブロック構成図である。
【図３】本発明に係る監視システムの第３実施形態を示すブロック構成図である。
【図４】本発明に係る監視システムの第４実施形態を示すブロック構成図である。
【図５】本発明に係る監視システムの第５実施形態を示すブロック構成図である。
【図６】演算カードの斜視図である。
【図７】表示器の一実施形態を示す構成図である。
【図８】表示器の他の実施形態を示す構成図である。
【符号の説明】
１２  異常検出器
１４  補助リレー
１６  表示器
２０  制御室
２２  起動回路
２４  小型カメラ
２８  表示器
３０  状態表示器
３２  演算カード
【図１】
2004164504.tif 000003
【図２】
2004164504.tif 000004
【図３】
2004164504.tif 000005
【図４】
2004164504.tif 000006
【図５】
2004164504.tif 000007
【図６】
2004164504.tif 000008
【図７】
2004164504.tif 000009
【図８】
2004164504.tif 000010